(57)【要約】      （修正有）【課題】携帯端末の第１の筐体と第２の筐体を上下方向に重ね合わせた状態で相対的にスライドさせる機構において、第１の筐体と第２の筐体の所定のスライド位置から自動的に開閉動作を行えるスライド機構を提供する。【解決手段】第１の筐体と第２の筐体を上下方向に重ね合わせた状態で相対的にスライドさせる機構で、前記第１の筐体と第２の筐体のいずれか一方に取り付けたスライドケースと、このスライドケースに対し摺動可能に取り付けられ前記第１の筐体と第２の筐体のいずれか他方に取り付けられたスライダー６と、このスライダーと前記スライドケースとの間に設けられスライダー６を所定の摺動位置から閉／開方向へ摺動附勢させる弾性手段８とで構成し、この弾性手段８を、トーションバネとし、その一端側をベース部材５へ、他端側をスライダー６へ各々枢支させることにより、スライダーの摺動動作で巻き込み部の位置が変位するように取り付ける。【選択図】図４
2005210649.tif 000002
【特許請求の範囲】
【請求項１】
第１の筐体と第２の筐体を上下方向に重ね合わせた状態で相対的にスライドさせる機構であって、前記第１の筐体と前記第２の筐体のいずれか一方のものに取り付けたスライドケースと、このスライドケースに対し摺動可能に取り付けられ前記第１の筐体と第２の筐体のいずれか他方のものに取り付けられたスライダーと、このスライダーと前記スライドケースとの間に設けられ前記スライダーを所定の摺動位置から閉方向及び又は開方向へ摺動附勢させる弾性手段とで構成したことを特徴とする、携帯端末のスライド機構。
【請求項２】
前記ベース部材と前記スライダーの間に、該スライダーの摺動をガイドするガイド部材が別体で設けられていることを特徴とする、請求項１に記載の携帯端末のスライド機構。
【請求項３】
前記弾性手段が、トーションバネであり、このトーションバネはその一端側を前記ベース部材へ、他端側を前記スライダーへそれぞれ枢支させることにより、前記スライダーの摺動動作に伴いその巻き込み部の位置が変位するように取り付けられていることを特徴とする、請求項１乃至２のいずれかに記載の携帯端末のスライド機構。
【請求項４】
前記トーションバネが、前記ベース部材と前記スライダーの間に設置されていることを特徴とする、請求項３に記載のスライド機構。
【発明の詳細な説明】
【技術分野】
【０００１】
この発明は、とくに携帯電話機のような携帯端末の、送話部を構成する第１の筐体と受話部を構成する第２の筐体を、互いにスライド可能に連結する際に用いて好適な、携帯端末のスライド機構に関する。
【背景技術】
【０００２】
携帯端末の一種である携帯電話機において、キーボード部とマイク部を設けた送話部としての第１の筐体と、ディスプレイ部とスピーカー部を設けた受話部としての第２の筐体を互いに重ね合わせた状態で、第１の筐体と第２の筐体が完全に重なり合って第２の筐体で第１の筐体の上面を覆う状態と、第２の筐体を第１の筐体に対して長手方向へスライドさせて第１の筐体の上面を露出させる状態を作り出す、スライド機構付きのものが市場に出回っている。このようなスライド機構を記載した公知文献として、下記する特許文献１に記載されたものが公知である。
【０００３】
【特許文献１】特開２００３−１２５０５２号公開特許公報
【発明の開示】
【発明が解決しようとする課題】
【０００４】
この特許文献１に記載されたものは、スライドカバーとロックプレートを重ね合わせて固着したスライドケースと、このスライドケース内に摺動可能に収装したスライダーと、このスライダーと前記スライドケースの間に弾設した板バネから成る２本のスライドモジュールを第２の筐体の下面に並設し、スライダーより２本の取付ピンを突設して、第１の筐体の上面にビスで該取付ピンを固着するという構成のものであった。
【０００５】
このような構成であると、第１の筐体と第２の筐体の相対的開閉操作、即ち摺動操作は、全て手動で行われなくてはならず、操作性の点で難点があった。
【０００６】
この発明の目的は、携帯端末の第１の筐体と第２の筐体を上下方向に重ね合わせた状態で相対的にスライドさせる機構において、簡単な構成で、第１の筐体と第２の筐体の所定のスライド位置から自動的に両者の開閉動作を行えることが出来るように構成したスライド機構を提供せんとするにある。
【課題を解決するための手段】
【０００７】
上述した目的を達成するためにこの発明は、第１の筐体と第２の筐体を上下方向に重ね合わせた状態で相対的にスライドさせる機構であって、前記第１の筐体と前記第２の筐体のいずれか一方のものに取り付けたスライドケースと、このスライドケースに対し摺動可能に取り付けられ前記第１の筐体と第２の筐体のいずれか他方のものに取り付けられたスライダーと、このスライダーと前記スライドケースとの間に設けられ前記スライダーを所定の摺動位置から閉方向及び又は開方向へ摺動附勢させる弾性手段とで構成したことを特徴とする、携帯端末のスライド機構。
【０００８】
その際にこの発明は、前記ベース部材と前記スライダーの間に、該スライダーの摺動をガイドするガイド部材が別体で設けることを特徴とする。
【０００９】
この発明はさらに、前記弾性手段を、トーションバネとし、このトーションバネはその一端側を前記ベース部材へ、他端側を前記スライダーへそれぞれ枢支させることにより、前記スライダーの摺動動作に伴いその巻き込み部の位置が変位するように取り付けることを特徴とする。
【００１０】
そしてこの発明は、前記トーションバネを、前記ベース部材と前記スライダーの間に設置することを特徴とする。
【発明の効果】
【００１１】
スライダーが、ベース部材に対する所定の摺動位置から閉方向及び又は開方向へ摺動附勢されるので、第１の筐体と第２の筐体を相対的な所定のスライド位置からセミオートに開閉できるものである。
【発明を実施するための最良の形態】
【００１２】
以下にこの発明の一実施の形態を携帯電話機に実施した場合について説明するが、この発明に係るスライド機構は他にも例えばザウルス（商標）のような携帯情報端末、電卓、ポケットコンピュータ、携帯ゲーム機、灰皿、ケースの蓋等に実施することができる。
【実施例１】
【００１３】
以下に、この発明の一実施の形態を図１乃至図４に基づいて詳細に説明する。とくに図１乃至図３において、指示記号２で示したものは携帯端末の一例である携帯電話機１の送話部を示し、第１の筐体を構成する。この第１の筐体２の表面にマイク部２ａとキーボード２ｂが設けられている。この第１の筐体２の上部に重ね合わされ、この発明に係るスライド機構によって長手方向へスライド可能に取り付けられているのが、例えば携帯電話機１の受話部であり、第２の筐体３を構成する。この第２の筐体３の表面にスピーカー部３ａとディスプレイ装置３ｂ及びカメラ部３ｃが設けられている。尚、指示記号４で示したものはアンテナである。このアンテナ４は第１の筐体２の側に取り付けられているが、第２の筐体３の側に取り付けられる場合もある。
【００１４】
次に、この発明に係るスライド機構７の構成について説明する。第１の筐体２の上部両側には、とくに図３に示したように、棚部２ｃ，２ｃが設けられている。第２の筐体３の下部両側には、棚部２ｃ，２ｃに摺接係合するスライド部３ｄ，３ｄが設けられている。尚、この棚部２ｃ，２ｃとスライド部３ｄ，３ｄは、本願発明に係るスライド機構７の場合には、スライドベース５が幅広であり、これに摺動可能に取り付けるスライダー６が左右方向へぶれないので、これを省略しても良い。
【００１５】
次に、スライド機構７は、第１の筐体である送話部２の上部カバー２ｄの側に取り付けられる幅広なベース部材５と、このベース部材５に設けたガイド部５ａ、５aに摺動可能に係合されたスライダー６と、このスライダー６とベース部材５との間に、スライダー６をベース部材５に対する所定の摺動位置から、閉方向及び開方向へ摺動附勢させる、例えばトーションバネから成る弾性手段８とで構成されている。上述したガイド部５a、５aは、この実施例のものは、ベース部材５とは別体に構成したガイド溝９aを有する一対のガイド部材９で構成されているが、ベース部材５に一体に設けても良い。
【００１６】
ベース部材５は、実施例のものは、ステンレス製の金属プレートをプレス加工して製作してあるが、合成樹脂の成型品であっても良い。このベース部材５は、送話部２に対する取付用の雌ネジ部５ｂを設けた基板部５ｃと、この基板部５ｃの両側部に一体に設けた取付溝部５ｄ，５ｄとで形成されている。尚、この取付溝部５ｄ，５ｄをそのままスライダー６のガイド溝としても良い。
【００１７】
スライダー６は、実施例のものは、ステンレス製の金属プレートをプレス加工して製作したものであるが、合成樹脂の成型品としても良い。このスライダー６は、受話部３のka下部カバー３eに取り付けられており、両側部にガイド片部６ａ，６ａを設けた基板部６ｂと、この基板部６ｂ上に隆設させた２条の取付部６ｃ，６ｃとから成り、この取付部６ｃ，６ｃには、これを受話部３側へ取り付ける雌ネジ部６ｄ，６ｄが設けられている。
【００１８】
弾性手段８は、実施例のものは常に巻込み方向とは逆の方向へ弾性を付与されたトーションバネで構成されており、その一方の作動部８ａ側をベース部材５の上面へ回動可能に固定し、他方の作動部８ｂをスライダー６の下面に回転可能に固定してある。この弾性手段８はスライダー６のベース部材５に対する摺動位置に応じてその巻込み部８ｃが変位し、スライダー６の始端位置の時にはこれを始端位置の方向へ摺動附勢し、スライダー６の終点位置の時にはこれを終点位置の方向へ摺動附勢するように動作するものである。尚、この弾性手段としては、スライダーに対する摺動方向が一方向になるが、他にも回転トルク創出ヒンジ、コンプレッションスプリング、引張コイルスプリング等を用いることができる。
【００１９】
ガイド部材９は、例えばプラスチック成型品であるが、耐久性を考慮し、その他の材料、例えば焼結金属、プレス加工品等のものを用いることができる。このガイド部材９をベース部材５とは別部品（別体）にすると、スライダー６の動作フィーリングの改善、及びガタの吸収を容易に図ることが出来る利点がある。
【００２０】
図５乃至図７は、上述したスライド機構の動作を説明するもので、図面に示したように、スライダー６がベース部材５の始端位置ａにある時には、弾性手段８の巻込み部８ｃの位置により、図５に示したように、スライダー６は、作動部８aと８ｂによって始端位置ａの方向へ摺動附勢されている。したがって、図１に示したように、送話部２と受話部３は閉成状態でロックされている。
【００２１】
この状態から、スライダー６を終点位置ｂの方向へ押すと、該スライダー６はガイド部５ａを構成するガイド部材９に案内されてベース部材５上を終点位置ｂの方向へ摺動し始めるので、図１乃至図２に示したように、受話部３は送話部２に対し摺動して、送話部２の上面を露出させて行く。この中間摺動状態においては、弾性手段８は、作動部８ａの枢着部を支点にその巻込部８ｃを左方向へ旋回させつつあるが、図６に示したように、弾性手段８はスライダー６をいずれの方向にも摺動附勢させていないので、受話部３は送話部２に対しフリーストップに停止できる。
【００２２】
スライダー６をさらに終点位置ｂの方向へ押していくと、弾性手段８の巻込み部８ｃの位置がさらに左方向へ旋回することによって、スライダー６は作動部８aと８ｂによってベース部材５の終点位置ｂの方向へ摺動附勢されることになるので、受話部３は自動的に摺動して、図２に示したような送話部２に対し全開位置となり、該送話部２のキーボード部２ｂの上面を全て露出させる。そして、図７に示したように、この全開位置でスライダー６は、弾性手段８によって終点位置ｂの方向へ摺動附勢されているので、この位置でロック状態となり、受話部３が自然に元位置の方向へ戻ることはない。
【００２３】
受話部３を送話部２に対して閉じようとする場合には、該受話部３を始端位置ａの方向へ押すと、スライダー６は最初のうちは弾性手段の弾力に抗して閉じられるが、弾性手段８の巻込み部８ｃの変位により、この弾性抗力はやみ、しかる後フリーストップに閉じられ、摺動位置が始端位置ａの近くになると、弾性手段８の巻込み部８ｃの変位により、スライダー６が始端位置ａの方向へ摺動附勢されるので、受話部３は送話部２に対し自動的に閉じられることになる。
【００２４】
このようにして、第２の筐体である受話部３は第１の筐体である送話部２に対し、セミオートで開閉されることになる。尚、ベース部材５とスライダー６の取付個所は、先の実施例とは逆に、ベース部材５を第２の筐体である受話部３へ、スライダー６を第１の筐体である送話部２へ取り付けるようにしても良い。
【００２５】
また、第１の筐体２と第２の筐体３の摺動動作は相対的であって、一方的ではない。そして、図示を省略してあるが、スライダー６の始端位置ａと終点位置ｂでの停止位置は、適宜、ベース部材５、その他の第１の筐体や第２の筐体にストッパー手段を設置することで決めることができる。
【００２６】
そして、スライダー６にフリクション特性を持たせるために、板バネその他の弾性手段をスライダー６の摺動部分、その他の個所に設けることは任意である。
【産業上の利用可能性】
【００２７】
以上詳細に説明したように、この発明に係るスライド機構は、構成が簡単な上に、第２の筐体を第１の筐体に対しセミオートにスライドさせて開閉できるので、操作性が向上し、携帯端末の中でもとくに携帯電話機のスライド機構として用いて好適である。
【図面の簡単な説明】
【００２８】
【図１】この発明に係るスライド機構を実施した携帯端末の一種である携帯電話機の平面図である。
【図２】図１の状態から受話部を送話部に対してスライドさせて見た平面図である。
【図３】図１の状態におけるスライド機構の取付状態を概括的に説明するための縦側面図である。
【図４】この発明に係るスライド機構の分解斜視図である。
【図５】この発明に係るスライド機構の動作を説明する説明図である。
【図６】この発明に係るスライド機構の動作を説明する説明図である。
【図７】この発明に係るスライド機構の動作を説明する説明図である。
【符号の説明】
【００２９】
１  携帯電話機
２  送話部（第１の筐体）
２ａ  マイク部
２ｂ  キーボード部
２ｃ  棚部
２ｄ  上部カバー
３  受話部（第２の筐体）
３ａ  スピーカー部
３ｂ  ディスプレイ装置
３ｃ  カメラ部
３ｄ  スライド部
４  アンテナ
５  ベース部材
５ａ  ガイド部
５ｂ  雌ネジ部
５ｃ  基板部
５ｄ  取付溝部
６  スライダー
６ａ  ガイド部
６ｂ  基板部
６ｃ  取付部
６ｄ  雄ネジ部
７  スライド機構
８  弾性手段
８ａ  一端部
８ｂ  他端部
８ｃ  巻込み部
９  ガイド部材
１０  ガイド溝
【図１】
2005210649.tif 000003
【図２】
2005210649.tif 000004
【図３】
2005210649.tif 000005
【図４】
2005210649.tif 000006
【図５】
2005210649.tif 000007
【図６】
2005210649.tif 000008
【図７】
2005210649.tif 000009